【事件の表示】
　平成２年特許願第２５３８０２号「距離測定装置」拒絶査定に対する審判事件［平成４年５月６日出願公開、特開平４−１３１７８７］について、次のとおり審決する。
【結　論】
　本件審判の請求は、成り立たない。
【理　由】
１．手続きの経緯、本願発明
　本願は、平成２年９月２１日の出願であって、その請求項に係る発明は、平成１１年７月２８日付け及び平成１１年１１月２４日付け手続補正書により補正された明細書及び図面の記載からみて、特許請求の範囲に記載されたとおりのものと認められるところ、請求項１に係る発明は次のものである。
「測定点に配置した反射部からの反射光を検出して距離を測定するための距離測定装置において、第１周波数及び第１周波数よりも低い第２周波数の周波数成分を有するパルス状に多重変調された多重変調パルス信号を発生させるための信号発生部と、該信号発生部からの信号に基づき変調パルス光を発生させるための発光部と、この発光部から射出され、測定点に配置した前記反射部により反射された多重変調パルス光を受光し、反射多重変調パルス信号を形成するための受光部と、該反射多重変調パルス信号中の第１変調信号の位相成分を含む第１位相信号を形成する第１位相信号形成部と、前記反射多重変調パルス信号中から該第１変調信号と異なる周波数の第２変調信号の位相成分を含む第２位相信号を形成する第２位相信号形成部と、前記多重変調に対応した基準信号に対する前記第１位相信号の位相に基づき第１測定値を、前記第２位相信号の位相に基づき第２測定値を得て、これらを合成して測定点までの距離を求める距離測定部とから構成されることを特徴とする距離測定装置。」（以下、「本願発明」という）
　
２．引用例に記載された事項
　これに対して、原査定の拒絶の理由に引用された特開昭５８−６６８８０号公報（以下、「引用例」という。）には、次のことが図面とともに記載されている。
「本発明は、新規な方法によって測距する光波測距計に関するものである。」（１頁左下欄１６，１７行）、
「そこで、通常２種類の特定周波数を使用し、その一つは測定最長距離Ｌ１に対応する光路長に等しい光波波長λ１をもつ周波数で、これを粗信号とし、他の一つは測定最短距離Ｌ２に対応する光路長に相当する光波波長λ２を持つように選び、これを精信号とする。そしてこの２種類の信号を切換え、まず、精信号によりλ２を単位とする位相の高精度計測を行ない、次いで、粗信号により被測定距離内に含まれるλ２の数（整数値）を求め、しかる後、演算により全距離を求めるという手続を踏んでいる。・・・
　本発明は、上記従来例の欠点を解消するために、粗信号に精信号を重畳させた変調信号で光強度変調を行ない、この光波を、被測定距離間を往復させて受光した後、元の粗信号と精信号に分波して各信号の位相差をそれぞれ検出するようにし、多周波の同時測定による測定時間の短縮を図った光波測距計を提供するものでもる。以下、図面により実施例を詳細に説明する。
　第１図は、本発明の一実施例の構成を示したもので、発振器ｌから粗信号ｆ１および精信号ｆ２を出力して変調器２で変調信号をつくり、次いで、この変調信号により光源３の光強度を変調する。
この変調された光波は、例えば第２図に示したように、粗信号ｆ１に精信号ｆ２が重畳した形になっている。この光波は、送信用光学系４を通り、反射鏡５で反射され、受光用光学系６に入り、光検出器７で検出される。この光検出器７の出力信号は、分波器８で元の２つの周波数ｆ１，ｆ２成分に分波される。以下、従来の位相差測定光波測距計と同様に、分波された周波数ｆ１，ｆ２はそれぞれ混合入力周波数ｆ’１，ｆ’２と混合・増幅器９ａ，９ｂにおいて処理され、さらに、その各出力信号を、基準周波数ｆ０を用いて位相検出器１０ａ，１０ｂでそれぞれ位相差検出を行ない、続いて信号処理回路１１で距離を求め、表示装置１２にその距離を示す。
　本発明は、以上のように構成されているから、粗信号と精信号の複数の信号を使って同時測定を行なうことができ、従来例のように周波数を切換えて別々に測定するものに比較して測定時間を大幅に短縮することができる。」（１頁右下欄１３行〜２頁右上欄１５行）
　
３．対比・判断
　そこで、本願発明と引用例に記載された発明とを対比する。
（１）引用例の「反射鏡５」「光波測距計」「周波数ｆ２」「周波数ｆ１」「変調信号」「変調器２」「光源３」「変調された光波」「光検出器７」「信号処理回路１１」が、それぞれ本願発明の「反射部」「距離測定装置」「第１周波数」「第２周波数」「多重変調信号」「信号発生部」「発光部」「多重変調光」「受光部」「距離測定部」に相当することは明らかである。
（２）引用例には「この光検出器７の出力信号は、分波器８で元の２つの周波数ｆ１，ｆ２成分に分波される。以下、従来の位相差測定光波測距計と同様に、分波された周波数ｆ１，ｆ２はそれぞれ混合入力周波数ｆ’１，ｆ’２と混合・増幅器９ａ，９ｂにおいて処理され、さらに、その各出力信号を基準周波数ｆ０を用いて位相検出器１０ａ，１０ｂでそれぞれ位相差検出を行ない、続いて信号処理回路１１で距離を求め」と記載されており、引用例においては、位相検出器で位相差検出を行なった後信号処理回路で距離を求めていることから、位相検出器１０ａ，１０ｂから出力される２つの周波数ｆ１，ｆ２成分に対応した２種類の信号が存在することは明らかであるので、引用例のものは本願発明の「第１位相信号」及び「第２位相信号」を有するものである。
　また引用例の上記記載から、「分波器８」、「混合・増幅器９ａ，９ｂ」及び「位相検出器１０ａ，１０ｂ」が、２つの周波数ｆ１，ｆ２成分に対応した上記「第１位相信号」及び「第２位相信号」を形成しているのであるから、引用例の『「分波器８」、「混合・増幅器９ａ，９ｂ」及び「位相検出器１０ａ，１０ｂ」』が本願発明の「第１位相信号形成部」「第２位相信号形成部」に相当する。
（３）引用例には「まず、精信号によりλ２を単位とする位相の高精度計測を行ない、次いで、粗信号により被測定距離内に含まれるλ２の数（整数値）を求め、しかる後、演算により全距離を求めるという手続を踏んでいる。」、「位相検出器１０ａ，１０ｂでそれぞれ位相差検出を行ない、続いて信号処理回路１１で距離を求め」と記載されており、該記載から、引用例のものが、本願発明の「前記多重変調に対応した基準信号に対する前記第１位相信号の位相に基づき第１測定値を、前記第２位相信号の位相に基づき第２測定値を得て、これらを合成して測定点までの距離を求める」との事項を有していることは明らかであるとともに、求められた距離に基づいて信号処理回路１１が距離を演算していることから、結局引用例のものは本願発明の「前記多重変調に対応した基準信号に対する前記第１位相信号の位相に基づき第１測定値を、前記第２位相信号の位相に基づき第２測定値を得て、これらを合成して測定点までの距離を求める距離測定部」を有するものである。
　
　上記（１）〜（３）の考察から、両者は、「測定点に配置した反射部からの反射光を検出して距離を測定するための距離測定装置において、第１周波数及び第１周波数よりも低い第２周波数の周波数成分を有する多重変調された多重変調信号を発生させるための信号発生部と、該信号発生部からの信号に基づき変調光を発生させるための発光部と、この発光部から射出され、測定点に配置した前記反射部により反射された多重変調光を受光し、反射多重変調信号を形成するための受光部と、該反射多重変調信号中の第１変調信号の位相成分を含む第１位相信号を形成する第１位相信号形成部と、前記反射多重変調信号中から該第１変調信号と異なる周波数の第２変調信号の位相成分を含む第２位相信号を形成する第２位相信号形成部と、前記多重変調に対応した基準信号に対する前記第１位相信号の位相に基づき第１測定値を、前記第２位相信号の位相に基づき第２測定値を得て、これらを合成して測定点までの距離を求める距離測定部とから構成される距離測定装置」である点で一致し、次の点で相違する。
　
相違点：本願発明のものは、変調光が変調「パルス」光であり、多重変調光が多重変調「パルス」光であり、また多重変調信号が多重変調「パルス」信号であるのに対し、刊行物１記載のものは、上記用語にパルスとの限定がない点。
　
　上記相違点について検討する。
　本願の第２図から、本願発明の「パルス状に変調する」とは矩形波の形に変調することであることは明らかであるが、光波を変調する際にパルス状に（矩形波で）変調することは周知（必要であれば査定時に引用された特公平２−１５０３８号公報、特公昭５８−３２６７０号公報参照）のことにすぎないから、上記周知技術を引用例に適用することにより本願発明の技術的事項とすることは当業者が容易になし得ることである。
　
　なお請求人は、請求理由において、「光強度変調の場合、精測定に貢献する精信号ｆ２の振幅は、粗信号ｆ１の振幅に比べて小さく設定されている。・・・致命的な問題となる。」（請求書８頁１５行〜１９行）と主張するが、精信号及び粗信号の振幅に関する事項は、特許請求の範囲に記載されておらず、本願発明の技術的事項とは関係のないものであるから、採用するに足らないものである。
　
　そして、本願発明が奏する作用効果は、引用例及び周知技術に記載された発明から予測し得る程度のものである。
　
４．むすび
　したがって、本願発明は、引用例及び周知技術に記載された発明に基づいて当業者が容易に発明をすることができたものであるから、特許法第２９条第２項の規定により特許を受けることができない。
　よって、結論のとおり審決する。